(57)【特許請求の範囲】
【請求項１】
直列に並んで載置されて異なる波長光を夫々発する複数の発光ダイオード光源の出射方向の側に配置され、先細りの翼状レンズを側面から突出させたシリンドリカルレンズが、その長手方向を前記直列の方向と一致させて、発光ダイオード光源と共に一体化されて具備されるための集光レンズであって、
前記シリンドリカルレンズが、頂部の曲面とその両脇に位置する曲面とからなる連続した非球面曲面を有する略半円柱状であり、それら曲面の各々が、前記発光ダイオード光源の光軸からの傾斜角で４５°以下の光を前記光軸の方に通過又は屈折させて出射させる曲率を有し、前記頂部の曲面の曲率が、前記両脇に位置する曲面の曲率よりも小さいものであり、
前記翼状レンズが、前記出射方向の側で、前記傾斜角で４５〜５５°の光を透過又は反射する平面を、前記発光ダイオード光源の光軸に垂直に又は前記シリンドリカルレンズ側へ内傾若しくは外傾して有しつつ、前記発光ダイオード光源の側で、前記傾斜角で５５°〜８０°の光を全反射して前記平面から出射させる曲率とする略放物線状の曲面又はそれに沿う擬似多面曲面を、前記シリンドリカルレンズの曲面と逆向きに有しつつ、発光ダイオード光源が前記略放物線の焦点に当たる位置に設置され、
前記発光ダイオード光源を封入する透明接着剤が、前記シリンドリカルレンズに空気層を介さずに固定され、
前記シリンドリカルレンズと前記翼状レンズと前記透明接着剤とが、前記複数の発光ダイオード光源の何れの載置位置でも同様に前記光を出射させる同様な形状によって均質にその光の屈折状態及び混合状態をとるように形成されることを特徴とする集光レンズ。
【請求項２】
前記シリンドリカルレンズの頂部の曲面が、非球面式である下記数式（１）
【数１】
0005588140.tif 000004
（数式(１)中、Ｒ：曲率、ｋ：円錐係数、ａｎ：非球面係数、ｚ：レンズ高さ、ｘ：レンズ横幅である）で、曲率を１×１０１５〜４０とし、円錐係数を−１×１０２０〜４０として形成されていることを特徴とする請求項１に記載の集光レンズ。
【請求項３】
照射すべき被照射物の範囲の大きさ及び／又はその被照射物の面までの距離に応じ、目視による色むらを認知できないまで前記複数の発光ダイオード光源の間隔を狭くした形状となっていることを特徴とする請求項１〜２の何れかに記載の集光レンズ。
【請求項４】
前記複数の発光ダイオード光源の各々は、赤色と緑色と青色との何れかを混色する複数の発光ダイオードチップ、それらが並んだパッケージ、蛍光体層で波長変換された発光ダイオード、色フィルターを介した発光ダイオード、及び／又は白色発光ダイオードであることを特徴とする請求項１〜３の何れかに記載の集光レンズ。
【請求項５】
端面が、前記長手方向と鉛直になりつつ、乱反射及び／又は拡散する粗面となっていることを特徴とする請求項１に記載の集光レンズ。
【請求項６】
前記集光レンズの前記長手方向での全長Ｌと、前記発光ダイオード光源から前記シリンドリカルレンズの頂部までの高さＨと、前記複数の発光ダイオード光源の最外間幅ｗとが
Ｌ≧２Ｈ＋ｗ
の関係になっていることを特徴とする請求項１に記載の集光レンズ。
【請求項７】
直列に並んで載置されて異なる波長光を出射する複数の発光ダイオード光源の出射方向の側に、先細りの翼状レンズを側面から突出させたシリンドリカルレンズがその長手方向を前記直列の方向と一致させつつ、その光軸方向を前記出射方向に一致させて配置されている集光レンズに、前記発光ダイオード光源が、嵌って一体化している光源ユニットであって、
前記シリンドリカルレンズが、頂部の曲面とその両脇に位置する曲面とからなる連続した非球面曲面を有する略半円柱状であり、それら曲面の各々が、前記発光ダイオード光源の光軸からの傾斜角で４５°以下の光を前記光軸の方に通過又は屈折させて出射させる曲率を有し、前記頂部の曲面の曲率が、前記両脇に位置する曲面の曲率よりも小さいものであり、
前記翼状レンズが、前記出射方向の側で、前記傾斜角で４５〜５５°の光を透過又は反射する平面を、前記発光ダイオード光源の光軸に垂直に又は前記シリンドリカルレンズ側へ内傾若しくは外傾して有しつつ、前記発光ダイオード光源の側で、前記傾斜角で５５°〜８０°の光を全反射して前記平面から出射させる曲率とする略放物線状の曲面又はそれに沿う擬似多面曲面を、前記シリンドリカルレンズの曲面と逆向きに有しつつ、発光ダイオード光源が前記略放物線の焦点に当たる位置に設置されており、
前記発光ダイオード光源を封入する透明接着剤が、前記シリンドリカルレンズに空気層を介さずに固定され、
前記シリンドリカルレンズと前記翼状レンズと前記透明接着剤とが、前記複数の発光ダイオード光源の何れの載置位置でも同様に前記光を出射させる同様な形状によって均質にその光の屈折状態及び混合状態をとるように形成されていることを特徴とする光源ユニット。
【請求項８】
前記複数の発光ダイオード光源の各々は、赤色と緑色と青色との何れかを混色する複数の発光ダイオードチップ、それらが並んだパッケージ、蛍光体層で波長変換された発光ダイオード、色フィルターを介した発光ダイオード、及び／又は白色発光ダイオードであることを特徴とする請求項７に記載の光源ユニット。
【請求項９】
照射すべき被照射物までの距離Ｄが、前記複数の発光ダイオード光源の最外間幅ｗの少なくとも３０倍とすることを特徴とする請求項７に記載の光源ユニット。
【請求項１０】
請求項７に記載の光源ユニットが、単一で基板に接続され、又はその複数で単列若しくは複数列を為して連続し若しくは点在して並べられて基板に接続されていることを特徴とする照明装置。
【発明の詳細な説明】
【技術分野】
【０００１】
本発明は、複数の発光素子からの異なる波長光を混合して、均質な色調にした光にして出射する集光レンズ、及びそれらが一体化したもので被照射物を均一な色調に照らすのに用いられる光源ユニットに関するものである。
【背景技術】
【０００２】
照明器具、液晶ディスプレイのバックライトなど各種照明装置は、三原色である赤・緑・青（ＲＧＢ）を混色して、様々な色調の光を出射するものである。
【０００３】
その光源として、発光ダイオード（ＬＥＤ）が用いられている。このような発光ダイオード、とりわけ最近汎用されている高輝度発光ダイオードは、白熱電球、ハロゲンランプ、水銀灯、蛍光灯などの白色系照明装置よりも、遥かに小さく、単独でも明るく、消費電力が少なくて、寿命が長い。そのため、発光ダイオードは、室内灯等の一般的な照明器具のみならず、液晶ディスプレイのバックライト、アミューズメント用照明器具、自動車や各種産業器具のような照明装置の光源として汎用されるようになっている。
【０００４】
０．１〜数ｍｍ程度の小型で高出力の発光ダイオードの複数から発した異なる波長光を混合した光、例えば、青色発光ダイオードからの青色光と青色発光ダイオードに被せた蛍光剤含有カラーフィルタからの黄色光との混合した光を、凸レンズで集光してスポット的に照明する場合、それら各発光ダイオード間の距離、又は各発光ダイオードの大きさのせいで、夫々の発光ダイオードから凸レンズの周辺部へ入射する際の入射角度に差が生じ、スポットの周辺ほど色むらやぼやけとなって現れてしまうという問題がある。
【０００５】
従来、異なる波長光を発する複数の発光ダイオードを取り巻く大型の反射面と、その出射方向側に設置された大型のプリズムやフライアイレンズとを用いたり、それらを多数繰り返し並べて、発光ダイオードからの光路を複雑化させたりすることにより、十分な混色を行っていた。そのため照明装置を大型化せざるを得ず、装置の小型化やパーツ数の減数化を図れない。
【０００６】
小型化しつつ光源からの光を効率よく混色させ輝度むらや色むらを低減するため、例えば特許文献１に、光源に対向する平面部と、その平面部に設けられ光源からの光を散乱させ又は拡散させる光学機能部とを有し、光源から出射された光が入射される凹状の入射側の側面と、その入射側の側面から入射された光が通る導光部と、その導光部を通る光を出射させる出射側面とを具備したレンズが、開示されている。
【０００７】
一層簡易な構造で、異なる波長光を発する発光素子からの光を、色むら無く混合でき、均質な色調の光を所望の方向へ集光し出射できる小型のレンズが求められている。
【先行技術文献】
【特許文献】
【０００８】
【特許文献１】特開２００９−１９２９１５号公報
【発明の概要】
【発明が解決しようとする課題】
【０００９】
本発明は前記の課題を解決するためになされたもので、複数の発光ダイオード光源からの異なる波長光を混合して、均質な色調にした光にすることができ、目視による色むらを認知できない程度に低減でき、所望の方向へ選択的に効率よく集光させつつ出射できる簡易で小型の集光レンズ、それを用い被照射物を均一な色調に照らすのに用いられる光源ユニット、及びそれが組み込まれた照明装置を提供することを目的とする。
【課題を解決するための手段】
【００１０】
前記の目的を達成するためになされた特許請求の範囲の請求項１の集光レンズは、直列に並んで載置されて異なる波長光を夫々発する複数の発光ダイオード光源の出射方向の側に配置され、先細りの翼状レンズを側面から突出させたシリンドリカルレンズが、その長手方向を前記直列の方向と一致させて、発光ダイオード光源と共に一体化されて具備されるための集光レンズであって、前記シリンドリカルレンズが、頂部の曲面とその両脇に位置する曲面とからなる連続した非球面曲面を有する略半円柱状であり、それら曲面の各々が、前記発光ダイオード光源の光軸からの傾斜角で４５°以下の光を前記光軸の方に通過又は屈折させて出射させる曲率を有し、前記頂部の曲面の曲率が、前記両脇に位置する曲面の曲率よりも小さいものであり、前記翼状レンズが、前記出射方向の側で、前記傾斜角で４５〜５５°の光を透過又は反射する平面を、前記発光ダイオード光源の光軸に垂直に又は前記シリンドリカルレンズ側へ内傾若しくは外傾して有しつつ、前記発光ダイオード光源の側で、前記傾斜角で５５°〜８０°の光を全反射して前記平面から出射させる曲率とする略放物線状の曲面又はそれに沿う擬似多面曲面を、前記シリンドリカルレンズの曲面と逆向きに有しつつ、発光ダイオード光源が前記略放物線の焦点に当たる位置に設置され、前記発光ダイオード光源を封入する透明接着剤が、前記シリンドリカルレンズに空気層を介さずに固定され、前記シリンドリカルレンズと前記翼状レンズと前記透明接着剤とが、前記複数の発光ダイオード光源の何れの載置位置でも同様に前記光を出射させる同様な形状によって均質にその光の屈折状態及び混合状態をとるように形成されることを特徴とする。
【００１１】
請求項２に記載の集光レンズは、請求項１に記載されたもので、前記シリンドリカルレンズの頂部の曲面が、非球面式である下記数式（１）
【数１】
0005588140.tif 000002
（数式(１)中、Ｒ：曲率、ｋ：円錐係数、ａｎ：非球面係数、ｚ：レンズ高さ、ｘ：レンズ横幅である）で、曲率を１×１０１５〜４０とし、円錐係数を−１×１０２０〜４０として形成されていることを特徴とする。
【００１２】
請求項３に記載の集光レンズは、請求項１〜２の何れかに記載されたもので、照射すべき被照射物の範囲の大きさ及び／又はその被照射物の面までの距離に応じ、目視による色むらを認知できないまで前記複数の発光ダイオード光源の間隔を狭くした形状となっていることを特徴とする。
【００１３】
請求項４に記載の集光レンズは、請求項１〜３の何れかにに記載されたもので、前記複数の発光ダイオード光源の各々は、赤色と緑色と青色との何れかを混色する複数の発光ダイオードチップ、それらが並んだパッケージ、蛍光体層で波長変換された発光ダイオード、色フィルターを介した発光ダイオード、及び／又は白色発光ダイオードであることを特徴とする。
【００１４】
請求項５に記載の集光レンズは、請求項１に記載されたもので、端面が、前記長手方向と鉛直になりつつ、乱反射及び／又は拡散する粗面となっていることを特徴とする。
【００１５】
請求項６に記載の集光レンズは、請求項１に記載されたもので、前記集光レンズの前記長手方向での全長Ｌと、前記発光ダイオード光源から前記シリンドリカルレンズの頂部までの高さＨと、前記複数の発光ダイオード光源の最外間幅ｗとが、
Ｌ≧２Ｈ＋ｗ
の関係になっていることを特徴とする。
【００１６】
請求項７に記載の光源ユニットは、直列に並んで載置されて異なる波長光を出射する複数の発光ダイオード光源の出射方向の側に、先細りの翼状レンズを側面から突出させたシリンドリカルレンズがその長手方向を前記直列の方向と一致させつつ、その光軸方向を前記出射方向に一致させて配置されている集光レンズに、前記発光ダイオード光源が、嵌って一体化している光源ユニットであって、前記シリンドリカルレンズが、頂部の曲面とその両脇に位置する曲面とからなる連続した非球面曲面を有する略半円柱状であり、それら曲面の各々が、前記発光ダイオード光源の光軸からの傾斜角で４５°以下の光を前記光軸の方に通過又は屈折させて出射させる曲率を有し、前記頂部の曲面の曲率が、前記両脇に位置する曲面の曲率よりも小さいものであり、前記翼状レンズが、前記出射方向の側で、前記傾斜角で４５〜５５°の光を透過又は反射する平面を、前記発光ダイオード光源の光軸に垂直に又は前記シリンドリカルレンズ側へ内傾若しくは外傾して有しつつ、前記発光ダイオード光源の側で、前記傾斜角で５５°〜８０°の光を全反射して前記平面から出射させる曲率とする略放物線状の曲面又はそれに沿う擬似多面曲面を、前記シリンドリカルレンズの曲面と逆向きに有しつつ、発光ダイオード光源が前記略放物線の焦点に当たる位置に設置されており、前記発光ダイオード光源を封入する透明接着剤が、前記シリンドリカルレンズに空気層を介さずに固定され、前記シリンドリカルレンズと前記翼状レンズと前記透明接着剤とが、前記複数の発光ダイオード光源の何れの載置位置でも同様に前記光を出射させる同様な形状によって均質にその光の屈折状態及び混合状態をとるように形成されていることを特徴とする。
【００１７】
請求項８に記載の光源ユニットは、請求項７に記載されたもので、前記複数の発光ダイオード光源の各々は、赤色と緑色と青色との何れかを混色する複数の発光ダイオードチップ、それらが並んだパッケージ、蛍光体層で波長変換された発光ダイオード、色フィルターを介した発光ダイオード、及び／又は白色発光ダイオードであることを特徴とする。
【００１８】
請求項９に記載の光源ユニットは、請求項７に記載されたもので、照射すべき被照射物までの距離Ｄが、前記複数の発光ダイオード光源の最外間幅ｗの少なくとも３０倍とすることを特徴とする。
【００１９】
請求項１０に記載の照明装置は、請求項７に記載の光源ユニットが、単一で基板に接続され、又はその複数で単列若しくは複数列を為して連続し若しくは点在して並べられて基板に接続されていることを特徴とする。
【発明の効果】
【００２０】
本発明の集光レンズは、複数の発光ダイオードから発する赤色・緑色又は青色やその中間色であって異なる色調の波長光を混合し均質な色調にして、被照射物への所望の方向に選択的に効率よく集光させつつ、出射することができるものである。この集光レンズは、個々の発光ダイオード光源に由来する本来の色調の光を出射させることなく、集光レンズの特異な形状に基づいて、小型化しつつ、色むらを目視で認知できない程度に低減できる。
【００２１】
この集光レンズは、その側面側に翼状レンズが突出していると、発光ダイオードから広角度に発する光を、効率よく所望の方向へ集光させることができる。
【００２２】
また、集光レンズは、その長手方向での端面が粗らされていると、そこで乱反射や拡散をして、色むらを一層生じさせない。
【００２３】
集光レンズは、簡易な構造で、しかも小型かつ軽量であるので、簡便に大量生産でき、歩留まりがよい。
【００２４】
本発明の光源ユニットは、集光レンズと複数の発光ダイオードとが一体化しているので、効率よく集光できるうえ、簡便に大量生産できる。
【００２５】
本発明の照明装置は、この光源ユニットを単数又は複数具備し、均等に色むら無く、被照射物を明るく照らすものである。
【図面の簡単な説明】
【００２６】
【図１】本発明を適用する集光レンズ及びそれを用いた光源ユニットを示す斜視図である。
【図２】本発明を適用する集光レンズ及びそれを用いた光源ユニットの使用途中を示す側面及び正面図である。
【図３】本発明を適用する別な集光レンズを用いた光源ユニット内に実装される複数の発光ダイオードの別な態様を示す斜視図である。
【図４】本発明を適用する集光レンズを用いる光源ユニットが実装された照明装置の使用途中を示す斜視図である。
【発明を実施するための形態】
【００２７】
以下、本発明を実施するための好ましい形態について詳細に説明するが、本発明の範囲はこれらの形態に限定されるものではない。
【００２８】
本発明の集光レンズ１は、図１に示すように、直列に並んで異なる波長光である赤色光と緑色光と青色光とを夫々発する３種類のＬＥＤを複数の発光ダイオード光源８(Ｒ)・８(Ｇ)・８(Ｂ)として、その光出射方向側に配置したもので、略半円柱状で所謂蒲鉾型のシリンドリカルレンズ２を有している。
【００２９】
シリンドリカルレンズ２は、光出射方向側で曲面５ａ・５ｂとなっている。シリンドリカルレンズ２の頂部５ａ近傍におけるその半円柱状を為す形状は、特に限定されないが、曲面を、非球面式である下記数式（１）
【数２】
0005588140.tif 000003
（数式(１)中、Ｒ：曲率、ｋ：円錐係数、ａｎ：非球面係数、ｚ：レンズ高さ、ｘ：レンズ横幅である）で表現する場合、
例えば曲率が１×１０１５〜４０程度の値を有し、かつ円錐係数が−１×１０２０〜４０程度の値を有するように形成されたものである。このような値をとることで、頂部５ａ近傍の曲率をその両脇に位置する曲面５ｂの曲率に比較して小さいものとする。このような係数以外であっても、頂部５ａ近傍の曲率を小さくできる係数の組み合わせであれば、特に制限されない。シリンドリカルレンズ２の長手方向は、複数の発光ダイオード光源８(Ｒ)・８(Ｇ)・８(Ｂ)の直列の方向Ｃと一致している。複数の発光ダイオード光源８(Ｒ)・８(Ｇ)・８(Ｂ)の直列が、シリンドリカルレンズ２の中央に位置していることが好ましい。
【００３０】
その直列の方向Ｃに沿い、シリンドリカルレンズ２の両側面から、先細りの翼状レンズ３が、突出している。翼状レンズ３は、シリンドリカルレンズ２の略半円柱状を為す曲面５ａ・５ｂと逆向きに向いて一体に形成されている。翼状レンズ３は、シリンドリカルレンズ２よりも大きい径の略半円柱状となっていることにより、シリンドリカルレンズ２から突出しつつ、発光ダイオード光源８(Ｒ)・８(Ｇ)・８(Ｂ)の光出射方向側で、その光軸と垂直な平面６ａを形成している。
【００３１】
集光レンズ１は、被照射物１２側の翼状レンズ３の面６ａで、屈折せずに光線を通過させるためのものであるから、発光ダイオード光源８の光軸Ａと垂直になっていることが好ましいが、この平面６ａがシリンドリカルレンズ２の側へ幾分内傾又は外傾していてもよい。
【００３２】
シリンドリカルレンズ２の曲面５ａ・５ｂは、発光ダイオード光源８の光軸Ａ方向と、発光ダイオード光源８の光軸Ａからの傾斜角θ１が４５°以下の光を透過して集光しながら出射できるように調整された曲率を、有していることが好ましい（図２参照）。
【００３３】
一方、翼状レンズ３の出射方向側の平面６ａは、その光軸Ａからの傾斜角θ１が４５〜５５°の光を透過して拡散しながら出射するように、発光ダイオード光源８の光出射方向側でその光軸Ａと垂直な面となっていると、特に好ましい。
【００３４】
翼状レンズ３の発光ダイオード光源８側の曲面６ｂは、発光ダイオード光源８の光軸Ａからの傾斜角θ２が５５°を上限とし傾斜角θ３が８０°を下限とする光を、反射し、翼状レンズ３の出射方向側の平面６ａ又はシリンドリカルレンズ２の曲面５ａ・５ｂから出射するように調整された曲率を、有していることが好ましい。翼状レンズ３の発光ダイオード光源８側の曲面６ｂは、光源からの透過光が全反射となるように曲率を調整しておくことが好ましいが、その外面を金属被膜で被覆していてもよい。この曲面６ｂは、図２(i)の側面図に示すように、発光ダイオード光源８からの放物線状に調整されたものであって、発光ダイオード光源８がその放物線の焦点に当たる位置に設置されると、曲面６ｂで反射した光は平面６aから垂直に出射するので、光軸Ａと平行になり好ましい。曲面６ｂはこの曲面に沿う擬似多面体の曲面となっていてもよい。
【００３５】
発光ダイオード光源８が、数１００μｍ乃至数ｍｍ四方程度の面積を持っている場合、発光ダイオード光源から発する光は、発光ダイオード光源８の発光面の様々な場所から放射状に発せられる結果、様々な角度で、集光レンズ１中に入射する。そこで、発光ダイオード光源８の大きさを考慮して、集光レンズ１の形状、とりわけシリンドリカルレンズ２や翼状レンズ３の形状やその曲率を十分大きくしかつ円錐係数を十分小さくすることで集光レンズ１のシリンドリカルレンズ２の頂部５ａ付近で平坦面に近い曲面となるように設計すると、光源からの光を効率よく集光できるようになるので、好ましい。集光レンズ１がそのシリンドリカルレンズ２の頂部５ａ付近で平坦に近い曲面となってものであると、集光レンズ１の外形寸法に対して発光ダイオード光源８の面積が広い場合で、被照射物１２の狭い範囲に集中的に集光させたいときに、特に有効である。
【００３６】
集光レンズ１は、発光ダイオード光源８の大きさや集光させて照射すべき範囲の大きさや被照射物の面までの距離に応じて、その形状、例えば曲率、外形寸法を適宜調整して、個別に設計されたものであることが、好ましい。
【００３７】
集光レンズ１の長手方向と鉛直な両端面４・４が、例えばサンドブラスト処理で粗らされた粗面となっている。この粗面により発光ダイオード光源８(Ｒ)・８(Ｇ)・８(Ｂ)からその両端面４・４に当たる光が、全反射することなく乱反射乃至散乱するようになっている。そのため、両端面４・４から出射しても色むらが抑制されている。この両端面４・４で形成せれた拡散・乱反射面は、拡散効果が高いほど良好な混色が得られ、色むらを一層改善する。この両端面４・４は、長手方向と鉛直となっていることが好ましいが、集光レンズ１を鋳型成型する場合に離型し易いように抜きテーパーとしてシリンドリカルレンズ２の頂部５ａに近付くほどわずかに内傾していてもよい。
【００３８】
集光レンズ１は、図２に示すように、集光レンズ２の長手方向での全長Ｌが、発光ダイオード光源８(Ｒ)・８(Ｇ)・８(Ｂ)からシリンドリカルレンズ２の最頂部までの高さＨの２倍と、複数の発光ダイオード光源８のうち最も離れた発光ダイオード光源８(Ｒ)・８(Ｂ)外端同士の最外間幅ｗとの合計以上であることが好ましい。その範囲未満であると、発光ダイオード光源８(Ｒ)・８(Ｇ)・８(Ｂ)からの３つ全ての波長光の何れかが混合されない結果、異なった色調になって照射されてしまい、色むらが目立ってしまう。
【００３９】
集光レンズ１は、発光ダイオード光源８(Ｒ)・８(Ｇ)・８(Ｂ)を収容する窪み１０を好ましく有している。発光ダイオード光源８の位置決めは、この窪み１０によって行われる。この窪み１０は、空気層を介することなく発光ダイオード光源８(Ｒ)・８(Ｇ)・８(Ｂ)を嵌め込みつつ接着する接着剤９で充填されていてもよい。接着剤９として、高透明度のシリコーン系接着剤が用いられる。接着剤９により空気層を介せずに接着することで、空気層による表面反射が防止され、光量の取り出し効率が向上する。接着剤９として、透明度のやや劣る半透明接着剤を用いる場合であっても、発光ダイオード光源８から発する光の透過性を損なわないように、接着剤９の層厚を十分に薄くして用いてもよい。
【００４０】
集光レンズ１は、面取りされていてもよい（不図示）が、面取りされていない方が好ましい。
【００４１】
集光レンズ１の材質は、屈折率を示す透光性の透明材質であればガラスのような無機材料であっても樹脂のような有機材料であってもよく特に制限されないが、ガラスのような無機材よりも比較的成形性の良い透明な樹脂またはゴムが好ましい。例えば透明樹脂として、ポリエチレン樹脂、塩素化ポリエチレン樹脂、シリコーン樹脂、エポキシ樹脂、アクリル樹脂、ポリカーボネイト樹脂が挙げられ、透明ゴムとして、フッ素ゴム、シリコーンゴムが挙げられる。
【００４２】
このような集光レンズ１の材質は、発光ダイオード光源８からの熱や青色成分に含まれる紫外線に耐え得る必要があるため、透明シリコーン樹脂や透明シリコーンゴムのようなシリコーンであると、一層好ましい。このようなシリコーンの屈折率は、約１．４〜１．５程度のものが特に好ましい。例えば、シリコーンは、屈折率が約１．５２で、硬度がショアＤコードで約７０度程度のものが挙げられる。屈折率が高い材質の方が、レンズの小型化の観点から有利であるが、屈折率が１．４１程度の材料でもよい。
【００４３】
集光レンズ１を使用する用途・場所・時に応じて、その材質として、多少の加圧接触でも柔軟に変形し得る軟質のシリコーン樹脂やシリコーンゴムを用いてもよいが、集光レンズ１表面への異物付着の回避、集光レンズ１を実装用マウントのノズルで吸引して発光ダイオード光源８に実装する際のノズルからの脱離の確実性向上の観点から、硬質のシリコーン樹脂が、特に好ましい。
【００４４】
集光レンズ１の材質が透明な樹脂またはゴムであれば、ガラスのような研磨は必要なく、射出成形や金型プレス成形でレンズを製造できるため、生産性が高いだけでなく、軽量化に資する。光源からの放熱に対する安定した耐熱性、高輝度光の長期間透過による黄変を引き起こさない耐変色性、透明性、金型転写の正確性、透過率、金型成型時の精密な転写性等を考慮すると、透明シリコーン樹脂であることが好ましい。中でも、低分子シロキサンを除去した低分子シロキサンカット製品、例えば東レダウコーニング株式会社製のＯＥ−６６６５やＥＧ−６３０１（商品名）、信越化学工業株式会社製のＫＪＲ６３２やＬＰＳ−Ｌ４００やＬＰＳ−Ｌ５００（商品名）のような市販品であると一層好ましい。
【００４５】
なお、集光レンズ１として、翼状レンズ３が設けられた例を示したが、それを有していなくてもよい。集光レンズ１の両端面４・４が粗面である例を示したが、表面処理されていなくてもよく、平滑面であってもよい。
【００４６】
本発明を適用する光源モジュール２０は、図１及び図２に示すように、集光レンズ１と、発光ダイオード光源８(Ｒ)・８(Ｇ)・８(Ｂ)とが、一体化しているものである。発光ダイオード光源８(Ｒ)・８(Ｇ)・８(Ｂ)は、集光レンズ１の窪み１０に嵌め込まれ、透明な接着剤９、例えばシリコーン樹脂系接着剤で固定されていてもよい。
【００４７】
発光ダイオード光源８として、赤緑青の光を発する別々なＬＥＤパッケージからなる発光ダイオード光源８(Ｒ)・８(Ｇ)・８(Ｂ)が、直列に並んだ例を示したが、それらの発光部分であるＬＥＤチップ８(Ｒ)・８(Ｇ)・８(Ｂ)を１つのＬＥＤパッケージとしそれの複数個が直列に配置され、その直列の方向Ｃとシリンドリカルレンズ２の長手方向とを一致させていてもよい。図３に示すように、赤緑青のような複数の波長光を夫々独立に発する３個のＬＥＤチップ８(Ｒ)・８(Ｇ)・８(Ｂ)としそれらが直列に並んで封入されたＬＥＤパッケージ８ａ・８ｂ・・・が、その直列の方向Ｃと同方向に複数、配置され、シリンドリカルレンズ２の長手方向とを一致させていてもよい。一つのＬＥＤパッケージ８ａだけが配置され、それのＬＥＤチップ８(Ｒ)・８(Ｇ)・８(Ｂ)の直列の方向Ｃを、シリンドリカルレンズ２の長手方向に一致させていてもよい。複数の波長光を発するＬＥＤチップまたはＬＥＤパッケージ８(Ｒ)・８(Ｇ)・８(Ｂ)が互いに狭い間隔しかあけずに配置されているほど、混色が一層良好となる結果、遠距離のみならず近距離の被照射物１２を照らすことができるようになる。
【００４８】
光源ユニット２０は、照射すべき被照射物１２までの距離Ｄが、複数の発光ダイオード光源８のうち最も離れた発光ダイオード光源８(Ｒ)と８(Ｂ)との長手方向における互いの外端間、即ち最外間幅ｗの少なくとも３０倍となるように、予め調整しておく必要がある。この範囲未満であると、発光ダイオード光源８(Ｒ)・８(Ｇ)・８(Ｂ)からの３つ全ての波長光の何れかが混合されずに異なった色調になって照射されてしまう色むらの範囲が、相対的に大きくなり過ぎて、目立ってしまう。
【００４９】
本発明を適用する照明装置３０は、図４に示すように、光源ユニット２０の複数が直線状に並び、発光ダイオード光源８(Ｒ)・８(Ｇ)・８(Ｂ)から導出されたリード線１１が基板３１上の配線３２に接続されたものである。
【００５０】
光源ユニット２０は、円弧状に列を成して並べられていてもよく、直線状に並んだ列が複数並べられて縦横に整然と配置されていてもよい。また、放射状に点在させてもよく、長手方向を一点に向けた状態で円弧状に並べてもよく、縦向きと横向きとを交互に混在して配置してもよく、ランダムに点在させてもよい。
【００５１】
照明装置３０は、単一の光源ユニット２０を用い、発光ダイオード光源８のリード線１１が基板３１上の配線３２に接続されていてもよい。
【００５２】
なお、発光ダイオード光源８としてＲＧＢの３色の光を夫々発するものの例を示したが、混色されるものであれば特に制限はなく発光ダイオード光源８から発する光の色調は限定されない。例えば、青色系同士の青色混色、Ｒ・Ｇ・Ｂのうちの二色の組合せからなる混色、更には、ＬＥＤの上に蛍光体層を設け、波長変換された発光ダイオード光源を混色してもよい。また、色フィルターを介して発光ダイオード光源に為した後、混色してもよい。また白色ＬＥＤを３〜６個直列に並べ、集光レンズ１を被せ、均質な白色光に混色してもよい。また、ＬＥＤ内部に拡散材を含有した発光ダイオード光源８を混色してもよい。
【００５３】
この集光レンズ１を用いた光源ユニット２０が実装された照明装置３０は、以下のようにして、製造される。先ず、図１に示すような集光レンズ１の形状に対応して窪んでいる金型を作製する。その金型の窪み面のうち、集光レンズ１の端面４に対応する部位を、例えば放電加工等により荒らしておく。その荒れた表面状態を精密に転写させることができるシリコーン樹脂の原料を含有する組成物を金型に流し込み、硬化させて、集光レンズ１を得る。次いで、図２に示すように、発光ダイオードである発光素子８(Ｒ)・８(Ｇ)・８(Ｂ)を、集光レンズ１の窪み１０（図２参照）に挿入し、透明接着剤９で気密に封入すると、光源ユニット２０が得られる。その後、図４に示すように、複数の光源ユニット２０を基材３１上で直線状に並べ、それの発光ダイオード光源８から延びたリード線１１を、基材３１上の配線３２に接続して半田付けすると、照明装置３０が得られる。
【００５４】
この照明装置３０は、以下のようにして使用される。配線３２に通電して印加すると発光ダイオード光源８(Ｒ)・８(Ｇ)・８(Ｂ)が、発光する。発光した光の代表的な光路を図２中、Ｐ１〜Ｐ８で示す。
【００５５】
同図（ｉ）の側面図に示すように、発光素子８から光軸Ａより幾分傾いてに沿って進む光Ｐ４は、集光レンズ１の内部を経て、シリンドリカルレンズ２の曲面上の頂部５ａで、幾分屈折されて、そこから出射し、被照射物１２に至る。その光Ｐ４よりも多少傾いた光Ｐ３は、集光レンズ１の内部を経て、シリンドリカルレンズ２の側面の曲面５ｂで、更に大きく屈折されて、そこから出射し、光Ｐ４とほぼ平行になって、被照射物１２に至る。光Ｐ３より傾いた光Ｐ２は、翼状レンズ３の出射方向側の平面６ａへ鈍角で至ってそこで全反射し、その光源側の曲面６ｂに至って屈折して翼状レンズ３から下方へ出射し拡散する。その光Ｐ２より傾いた光Ｐ１は、集光レンズ１の内部を経て、翼状レンズ３の曲面６ｂで全反射され、翼状レンズ３の平面６ａから出射し、光Ｐ４と平行になって、被照射物１２に至る。
【００５６】
また同図（ii）の正面図に示すように、発光ダイオード光源８(Ｒ)から鉛直に進む光Ｐ７は、集光レンズ１の内部を経て、シリンドリカルレンズ２の曲面の頂部５ａで、屈折することなく、直進して、そこから出射し、被照射物１２に至る。その光Ｐ７よりも多少傾いた光Ｐ６は、集光レンズ１の内部を経て、シリンドリカルレンズ２の曲面の頂部５ａで、屈折されて、そこから出射する。一方、その光Ｐ６より多少傾いた光Ｐ５は、集光レンズ１の内部を経て、集光レンズ１の端面４に至り、その端面４で乱反射する。
【００５７】
一方、発光ダイオード光源８(Ｒ)に隣り合う発光ダイオード光源８(Ｇ)から、鉛直よりもやや発光ダイオード光源８(Ｒ)側に傾いた光Ｐ８は、シリンドリカルレンズ２の曲面の頂部５ａで、屈折する。このように、隣り合う発光ダイオード光源又は更に離れている発光ダイオード光源から、発する光が混合される。
【００５８】
各発光ダイオード光源８(Ｒ)・８(Ｇ)・８(Ｂ)から発した光は、集光レンズ３の長手方向で、それら発光ダイオード光源８(Ｒ)・８(Ｇ)・８(Ｂ)の載置位置の差によっても、同様に集光レンズ１から出射されることから、終には同様な屈折状態や混合状態をとって、均質に光が混合され、集光レンズ１から出射される。
【００５９】
このようにして、発光ダイオード光源８(Ｒ)・８(Ｇ)・８(Ｂ)が発した光は、大部分が混合されながら集光し、発光ダイオード光源８(Ｒ)・８(Ｇ)・８(Ｂ)の位置ずれによる色むらが、目視で認識し得ない程度に、十分に小さくなっているから、目視で認識できる範囲であたかも混合色の色調の光のみが、出射されているように映る結果、被照射物１２を均一な白色光で照らすことになる。
【００６０】
このような照明装置３０によれば、集光レンズ１のシリンドリカルレンズ２の長手方向で指向角約１００°となり、その長手方向に垂直な方向で指向角約２０°となる集約的な集光を達成することができ、同時に異なる色調の光を混色し白色光を得ることができる。しかも小型で、光の集光効率が良いから、省エネルギーに資する。
【実施例】
【００６１】
以下に、本発明を適用する集光レンズ１、それを組み込んだ光源ユニット２０、及びそれを有する照明装置３０を試作した例について、図を参照しながら、具体的に示す。
【００６２】
集光レンズ１は、図１に示す形状のものを作製した。図３に示すように、ＲＧＢの３つの発光ダイオード光源８(Ｒ)・８(Ｇ)・８(Ｂ)を１つのパッケージに搭載したフルカラーＬＥＤパッケージチップ８ａを、発光ダイオード光源８として使用した。ＬＥＤパッケージチップ８ａ内で夫々、各発光ダイオード光源８(Ｒ)・８(Ｇ)・８(Ｂ)は０．８ｍｍ四方であり、０．２７５ｍｍの隙間をあけて直列に配置されたものである。
【００６３】
集光レンズ１は、適切な形状となるように、次のようにして設計されたものである。図２(ii)に示すような最も離れた発光ダイオード光源８(Ｒ)と８(Ｂ)との長手方向の外向きの端同士の距離、即ち最外間幅ｗは、２．９５ｍｍである。発光ダイオード光源８(Ｒ)・８(Ｇ)・８(Ｂ)の表面から、集光レンズ１のシリンドリカルレンズ２の頂部５ａの頂点までの高さＨを４ｍｍとし、集光レンズ１の長手方向での全長Ｌを、Ｌ≧２Ｈ＋ｗに適合するように、１０．９５ｍｍ以上にする。シリンドリカルレンズ２の形状は、各発光ダイオード光源８(Ｒ)・８(Ｇ)・８(Ｂ)の大きさを考慮し、それらの光軸とのなす角が４５°以内である光を、効率よく集光できるように、形状を最適化されている。次いで、翼状レンズ３は、シリンドリカルレンズ２の両方の側面から１ｍｍずつ突出している。翼状レンズ３の光源側曲面６ｂは、発光ダイオード光源８(Ｒ)・８(Ｇ)・８(Ｂ)の各中心から該当の角度域内を複数に分割し、分割した各角度に応じて、同角度の光線を光軸と平行に反射させる反射角を順次求め、その後各反射角を接続し１つの曲線状としたものである。このままレンズ形状として使用してもよいが、スプライン補完等によって各角度を曲線で滑らかにされている。この結果、翼状レンズ３の光源側曲面６ｂは、概ね放物線の形状を示している。用途に合わせてさらに形状を変化させてもよい。
【００６４】
このように設計された所望の集光レンズ１の形状に応じた金型を作製し、シリコーン樹脂原料を流し込み硬化させて、設計通りの透明シリコーン樹脂製集光レンズ１を鋳型成型した。この集光レンズ１は、屈折率が１．５２で、硬度がショアＤコードで７０度である。
【００６５】
この集光レンズ１の窪み１０に発光ダイオード８光源(Ｒ)・８(Ｇ)・８(Ｂ)を嵌め込み、透明接着剤９で固定し、発光ダイオード８光源(Ｒ)・８(Ｇ)・８(Ｂ)から夫々導出したリード線１１を適切な方向に曲げて、光源ユニット２０を得た。複数の光源ユニット２０を、基板３１上に並べ、その配線パターン１１に、リード線を接続して、照明装置３０を作製した。
【産業上の利用可能性】
【００６６】
本発明の集光レンズは複数の波長光を発する発光ダイオード光源と共に一体化され、複数の波長光を混合して均一な色調の光を出射する光源ユニットとして、用いられる。
【００６７】
この光源ユニットを実装した照明装置は、室内外のインテリア照明灯、テレビやパーソナルコンピューターや携帯電話用の液晶ディスプレイのバックライト、携帯ゲーム機用のディスプレイのようなアミューズメント用照明器具、自動車のヘッドライト、各種産業用照明器具などの照明装置として、有用である。
【符号の説明】
【００６８】
１は集光レンズ、２はシリンドリカルレンズ、３は翼状レンズ、４は端面、５ａはシリンドリカルレンズの曲面の頂部、５ｂはシリンドリカルレンズの曲面の側部、６ａは翼状レンズの平面、６ｂは翼状レンズの曲面、８・８(Ｒ)・８(Ｇ)・８(Ｂ)は発光ダイオード光源、８ａ・８ｂ・・・はＬＥＤパッケージ、９は接着剤、１０は窪み、１１はリード線、２０は光源モジュール、３０は照明装置、３１は基板、３２は配線、Ａは光軸、Ｃは直列方向、Ｄは照射すべき被照射物までの距離、Ｈは発光ダイオード光源からシリンドリカルレンズの頂部までの高さ、Ｌは集光レンズの長手方向での全長、ｗは複数の発光ダイオード光源の最外間幅、θ１〜θ３は傾斜角、Ｐ１〜Ｐ８は光路である。
【図１】
0005588140.tif 000005
【図２】
0005588140.tif 000006
【図３】
0005588140.tif 000007
【図４】
0005588140.tif 000008